【手続補正書】
【提出日】平成24年7月11日(2012.7.11)
【手続補正１】
【補正対象書類名】特許請求の範囲
【補正対象項目名】全文
【補正方法】変更
【補正の内容】
【特許請求の範囲】
【請求項１】
第１および第２のデバイスを備える照明パネルであって、
第１のデバイスが、
電気的に連続した陰極と、
陰極と電気的に接触し、エレクトロルミネセント有機材料を含む層と、
電気的に連続した陽極であって、上記層と電気的に接触した陽極と
を備え、
前記陰極および前記陽極の少なくとも一つが、それぞれが約５０００μｍ未満の横寸法をもつ複数の電極領域を画成するようにパターニングされて、電圧を印加すると前記層内に発光領域を画成し、
第２のデバイスが、
電気的に連続した第２の陰極と、
第２の陰極と電気的に接触した第２のエレクトロルミネセント有機材料を備える第２の層と、
電気的に連続した第２の陽極であって、第２の層と電気的に接触した第２の陽極と
を備え、
第１のデバイスが第２のデバイスに接合して多層構造を形成し、
第１のデバイス及び第２のデバイスが個々に電圧が印加されるように構成される、
照明パネル。
【請求項２】
前記陰極、層又は陽極の少なくともいずれかがパターニングされて、照明されるように構成されたデザインを形成する、請求項１に記載の照明パネル。
【請求項３】
前記陰極が、
エレクトロルミネセント有機材料に実質的に電圧を印加するように構成された２以上の非連続電極領域と、
非連続電極領域上に堆積された導電層であって、非連続電極領域には通電するが、エレクトロルミネセント有機材料には実質的に電圧を印加しないように構成された導電層と
を備える、請求項２に記載の照明パネル。
【請求項４】
発光領域が最小寸法約１００μｍ未満である、請求項１に記載の照明パネル。
【請求項５】
当該照明パネルが調色光源となるように構成されている、請求項１に記載の照明パネル。
【請求項６】
当該照明パネルが第３のデバイスを備えており、第３のデバイスが、
電気的に連続した第３の陰極と、
第３の陰極と電気的に接触し、第３のエレクトロルミネセント有機材料を含む第３の層と、
電気的に連続した第３の陽極であって、第３の層と電気的に接触した第３の陽極と
を備えており、第３の陰極、第３の層又は第３の陽極の少なくとも１つがパターニングされて、照明されるように構成された第２のデザインを形成し、
前記第３の陰極および前記第３の陽極の少なくとも一つが、それぞれが約５０００μｍ未満の横寸法をもつ複数の電極領域を画成するようにパターニングされて、電圧を印加すると前記層内に発光領域を画成し、
第３のデバイスは第１及び第２のデバイスに接合して多層構造を形成し、
第１のデバイス、第２のデバイス及び第３のデバイスが個々に電圧が印加されるように構成される、
請求項１に記載の照明パネル。
【請求項７】
照明パネル調色光源となるように構成される、請求項６に記載の照明パネル。
【請求項８】
第３の陰極が、
第３のエレクトロルミネセント有機材料に実質的に電圧を印加するように構成された２以上の非連続電極領域と、
非連続電極領域上に堆積された導電層であって、非連続電極領域には通電するが、第３のエレクトロルミネセント有機材料には実質的に電圧を印加しないように構成された導電層と
を備える、請求項６に記載の照明パネル。
【請求項９】
第１の陽極、第２の陽極又は第３の陽極の少なくとも１つが、約６０ｎｍ〜１５０ｎｍの厚さの酸化インジウムスズ（ＩＴＯ）の層を備える、請求項６に記載の照明パネル。
【請求項１０】
第１のデザイン及び第２のデザインが、画像、デザイン、ロゴ、パターン又はそれらの組合せからなる異なる色の層を含む、請求項６に記載の照明パネル。
【請求項１１】
第１の陰極、第３の陰極のいずれか又は両方が、単一の電気的接続から電圧が印加されるように構成された電極材料の交線から形成されるパターンを備える、請求項６に記載の照明パネル。
【請求項１２】
エレクトロルミネセント有機材料が、ポリフルオレン、ポリ（フェニレンビニレン）及びポリ（ビニルカルバゾール）からなる群から選択される１種以上のエレクトロルミネセントポリマー又はエレクトロルミネセントポリマー誘導体を含む、請求項６に記載の照明パネル。
【請求項１３】
エレクトロルミネセント有機材料が有機金属化合物を含む、請求項６に記載の照明パネル。
【請求項１４】
第１の陰極、第２の陰極、第３の陰極又はそれらの組合せが、光に対して実質的に透明であるように構成される、請求項６に記載の照明パネル。
【請求項１５】
第１の層、第２の層、第３の層のいずれか又はそれらの組合せが、正孔輸送層、正孔注入層、電子輸送層、電子注入層又はエレクトロルミネセント層の１以上を含む、請求項６に記載の照明パネル。
【請求項１６】
多層構造を、気密シールパッケージ内に封止することを備える、請求項６に記載の照明パネル。
【請求項１７】
複数のデバイスを積み重ねて結合して多層構造を形成することを含む発光アセンブリの製造方法であって、
前記複数のデバイスは個々に電圧が印加されるように構成され、
前記複数のデバイスの各々の形成が、
エレクトロルミネセント有機材料を含む層を形成する段階と、
上記層を、電気的に連続した陽極及び電気的に連続した陰極と電気的に接触させる段階と
を含み、
前記陰極および前記陽極の一方又は両方が、それぞれが約５０００μｍ未満の横寸法をもつ複数の電極領域を画成するようにパターニングされて、電圧を印加すると前記層内に発光領域を画成する、
方法。
【請求項１８】
陽極と陰極の一方又は両方に、エレクトロルミネセント有機材料の発光領域に電圧を印して最小寸法約１００μｍ未満の発光領域にするパターンを形成する段階を含む、請求項１７に記載の方法。
【請求項１９】
陰極の形成を、
２以上の非連続電極領域をエレクトロルミネセント有機材料上に堆積させる段階であって、電極領域が、エレクトロルミネセント有機材料に実質的に電圧を印加するように構成される、段階と、
導電層を２以上の非連続電極領域上に堆積させる段階であって、導電層は電流を電極領域に伝えるように構成され、導電層はエレクトロルミネセント有機材料に実質的に電圧を印加しないように構成される、堆積させる段階と
によって行うことを含む、請求項１７に記載の方法。
【請求項２０】
バックライトデバイスを形成する段階であって、
電気的に連続したバックライト陰極を形成する段階と、
バックライト陰極と電気的に接触したバックライトエレクトロルミネセント有機材料を含むバックライト層を形成する段階と、
電気的に連続し、バックライト層と電気的に接触したバックライト陽極を形成する段階とを含むバックライトデバイスを形成する段階と、
バックライトデバイスを１以上のデバイスに接合して層状構造を形成する段階であって、各デバイスは個々に照明するように構成される、段階と
を含む、請求項１７に記載の方法。
【請求項２１】
発光領域を、デザイン、写真、文字又はそれらの組合せを含むパターンに形成する段階を含む、請求項１７に記載の方法。
【請求項２２】
電気制御装置及び電源装置と、
電気制御装置及び電源装置によって照明するように構成された複数の発光デバイスと
を備えるシステムであって、
複数の発光デバイスは積み重ねて結合されて多層構造を形成し、
前記複数の発光デバイスは個々に電圧が印加されるように構成され、
前記複数の発光デバイスが、
電気的に連続した陰極と、
陰極と電気的に接触したエレクトロルミネセント有機材料を含む層と、
電気的に連続した陽極であって、上記層と電気的に接触した陽極と
を備え、
前記陰極および前記陽極の一方又は両方が、それぞれが約５０００μｍ未満の横寸法をもつ複数の電極領域を画成するようにパターニングされて、電圧を印加すると前記層内に発光領域を画成する、
システム。
【請求項２３】
発光デバイスに接合されて層状デバイスを形成するバックライトデバイスであって、バックライトデバイスは、電気制御装置及び電源装置で個々に照明されるように構成され、バックライトデバイスは、エレクトロルミネセント有機材料を含む層を備え、バックライトデバイスは、層状デバイスに渡って均一に発光するように構成される、請求項２２に記載のシステム。